(57)【要約】【課題】運用の対象となる電気部品が診断状態でも、運用までの停止時間を短縮できる情報処理装置、装置内切替方法および装置内切替プログラムを得る。【解決手段】複数の同一機能を備えた電気部品の１つを選択可能に配置した装置部１１を使用して運用手段１２は装置を運用する。状態監視手段１５は各電気部品の状態を監視している。運用時の電気部品の障害を障害検知手段１３が検知すると障害時制御手段１７が。障害時対処設定手段１６の設定内容に応じて装置部１１の選択制御を行う。【選択図】図１
2010193177.tif 000002
【特許請求の範囲】
【請求項１】
互いに同一回路構成となった特定電気部品をそれぞれ１つずつ収容可能な複数の収容部を備え、これら複数の収容部のうちの指定された１つを選択する構成となった装置部と、
この装置部の選択した特定電気部品を回路動作に使用することで装置の運用を行う運用手段と、
この運用手段によって運用されている特定電気部品に障害が発生したときこれを検知する障害検知手段と、
前記装置部に収容されている前記特定電気部品の定期的な診断および前記障害検知手段によって障害の検知された特定電気部品に対する診断を行う診断手段と、
前記装置部の前記複数の収容部に収容された特定電気部品のそれぞれの運用状態の有無、障害状態の有無および診断状態の有無を判別する状態監視手段と、
前記運用手段によって運用されている特定電気部品に障害が発生したときの前記装置部における収容部の指定と前記運用手段および前記診断手段の制御とを前記状態監視手段の監視結果に対応付けて設定した障害時対処設定手段と、
前記障害検知手段で障害が検知されたとき、前記障害時対処設定手段の設定内容に応じて前記特定電気部品の障害時の制御を行う障害時制御手段
とを具備することを特徴とする情報処理装置。
【請求項２】
前記障害時対処設定手段は、前記障害検知手段が障害を検知した特定電気部品以外の特定電気部品が障害状態あるいは診断状態でない１つの特定電気部品であるときこれを運用状態に切り替える設定が行われており、前記１つの特定電気部品が診断状態のときにはこの診断を中止して強制的に運用状態に切り替える設定あるいは診断を中止することなく行って診断が終了した時点で運用状態に切り替える設定のいずれかの設定が行われており、前記障害検知手段が障害を検知した特定電気部品以外の特定電気部品が前記装置部の収容部に収容されていないときにはその障害を検知した特定電気部品を強制的に運用状態に切り替える設定あるいは診断状態に切り替える設定のいずれかの設定が行われていることを特徴とする請求項１記載の情報処理装置。
【請求項３】
前記障害時制御手段の制御の内容を所定の保守端末に通知する制御内容通知手段を具備することを特徴とする請求項１記載の情報処理装置。
【請求項４】
前記障害時対処設定手段に設定する内容を前記保守端末から受信する設定内容受信手段を具備することを特徴とする請求項３記載の情報処理装置。
【請求項５】
前記特定電気部品は、交換機の主要部品であることを特徴とする請求項１記載の情報処理装置。
【請求項６】
前記特定電気部品は、交換機と基地局の間に配置される基地局制御装置として機能する装置の主要部品であることを特徴とする請求項１記載の情報処理装置。
【請求項７】
互いに同一回路構成となった特定電気部品を１つずつ収容可能な複数の収容部の指定された１つを選択する構成となった装置部が選択した特定電気部品を回路動作に使用して装置の運用を行うときその運用に障害が発生したことを検知する障害検知ステップと、
前記装置部に収容されている前記特定電気部品の定期的な診断および前記障害検知ステップで障害の検知された特定電気部品に対する診断を行う診断ステップと、
前記装置部の前記複数の収容部に収容された特定電気部品のそれぞれの運用状態の有無、障害状態の有無および診断状態の有無を判別する状態監視ステップと、
前記障害検知ステップで障害が検知されたときの前記装置部における収容部の指定と装置の運用あるいは診断の制御とを前記状態監視ステップの監視結果に対応付けて設定した設定内容に応じて前記特定電気部品の障害時の制御を行う障害時制御ステップ
とを具備することを特徴とする情報処理装置内切替方法。
【請求項８】
コンピュータに、
互いに同一回路構成となった特定電気部品を１つずつ収容可能な複数の収容部の指定された１つを選択する構成となった装置部が選択した特定電気部品を回路動作に使用して装置の運用を行うときその運用に障害が発生したことを検知する障害検知処理と、
前記装置部に収容されている前記特定電気部品の定期的な診断および前記障害検知処理で障害の検知された特定電気部品に対する診断を行う診断処理と、
前記装置部の前記複数の収容部に収容された特定電気部品のそれぞれの運用状態の有無、障害状態の有無および診断状態の有無を判別する状態監視処理と、
前記障害検知処理で障害が検知されたときの前記装置部における収容部の指定と装置の運用あるいは診断の制御とを前記状態監視処理の監視結果に対応付けて設定した設定内容に応じて前記特定電気部品の障害時の制御を行う障害時制御処理
とを実行させることを特徴とする情報処理装置内切替プログラム。
【発明の詳細な説明】
【技術分野】
【０００１】
本発明は、交換機、基地局制御装置のような情報処理装置、情報処理装置内切替方法および情報処理装置内切替プログラムに関する。本発明は、特に、二重化された装置部分を備えた情報処理装置、二重化された装置部分の情報処理装置内切替方法および二重化された装置部分の情報処理装置内切替プログラムに関する。
【背景技術】
【０００２】
交換機、基地局制御装置のような情報処理装置の診断は、障害を早期に発見し、原因を特定するために有効である。このため、情報処理装置の多くは、自己診断機能を備えている。特に交換機や基地局制御装置は、信頼性の観点から、自己診断機能をほぼすべての装置が備えている。
【０００３】
ところで、１台の情報処理装置に運用系の装置部分としてのカード装置と、非運用系の装置部分としてのカード装置の２種類のカード装置が備えられているとする。通常の場合、運用系のカード装置に障害が発生すれば、非運用系のカード装置がその時点で運用系のカード装置に切り替わる。ところが、このような二重化装置の診断中に運用系のカード装置に障害が発生したとする。このような場合、非運用系のカード装置は診断を実行している。このため、非運用系のカード装置の方は、診断が終了するまで運用化することができない。このような場合、その情報処理装置は、非運用系のカード装置の診断が終了するまでの一定時間、運用が不可能な状態となってしまう。
【０００４】
このような運用が不可能な状態をできるだけ少なくするために、本発明の関連技術では障害に対する診断を現用系の方で優先させることにしている（たとえば特許文献１参照）。すなわち、現用系の障害が回復すると非運用系との関係でシステムの再構成を行わなくても運用の続行が可能であるという前提に立ち、現用系にかかわる実装情報と動作情報の収集を、予備系よりも優先して行うようにしている。
【０００５】
ところで、１台の情報処理装置に運用系のカードと非運用系のカード装置が備えられていて二重化されていても、一方のカード装置が障害を発生させて全く機能していない場合がある。また、情報処理装置の「０系」と「１系」のカードスロットのうちの一方のみにカード装置が装着されている場合もある。このような場合、機能するカード装置は一系統のみとなり、二重化システムが実質的には機能しない。本明細書ではこのような状態を「一重化」と呼び、これに対して二重化システムが機能する場合を「二重化」と呼ぶ。
【０００６】
情報処理装置が二重化の場合には、先の本発明の関連技術でも現用系に障害が発生すると、その障害が回復するまで運用のサービスが停止する。情報処理装置が一重化の場合にも、運用開始前に診断が開始されると、その診断が終了した後に運用化が行われる。したがって、一重化装置の場合にも情報処理装置は一定時間、運用系の装置として使用不可能な状態となる。
【先行技術文献】
【特許文献】
【０００７】
【特許文献１】特開２０００−１８１７４２号公報（第００４８段落〜第００５０段落、図３）
【発明の概要】
【発明が解決しようとする課題】
【０００８】
そこで本発明の目的は、運用の対象となる電気部品が診断状態にある場合でも、運用までのサービス停止時間を短縮できる情報処理装置、情報処理装置内切替方法および情報処理装置内切替プログラムを提供することにある。
【課題を解決するための手段】
【０００９】
本発明では、（イ）互いに同一回路構成となった特定電気部品をそれぞれ１つずつ収容可能な複数の収容部を備え、これら複数の収容部のうちの指定された１つを選択する構成となった装置部と、（ロ）この装置部の選択した特定電気部品を回路動作に使用することで装置の運用を行う運用手段と、（ハ）この運用手段によって運用されている特定電気部品に障害が発生したときこれを検知する障害検知手段と、（ニ）前記した装置部に収容されている前記した特定電気部品の定期的な診断および前記した障害検知手段によって障害の検知された特定電気部品に対する診断を行う診断手段と、（ホ）前記した装置部の前記した複数の収容部に収容された特定電気部品のそれぞれの運用状態の有無、障害状態の有無および診断状態の有無を判別する状態監視手段と、（へ）前記した運用手段によって運用されている特定電気部品に障害が発生したときの前記した装置部における収容部の指定と前記した運用手段および前記した診断手段の制御とを前記した状態監視手段の監視結果に対応付けて設定した障害時対処設定手段と、（ト）前記した障害検知手段で障害が検知されたとき、前記した障害時対処設定手段の設定内容に応じて前記した特定電気部品の障害時の制御を行う障害時制御手段とを情報処理装置が具備する。
【００１０】
また、本発明では、（イ）互いに同一回路構成となった特定電気部品を１つずつ収容可能な複数の収容部の指定された１つを選択する構成となった装置部が選択した特定電気部品を回路動作に使用して装置の運用を行うときその運用に障害が発生したことを検知する障害検知ステップと、（ロ）前記した装置部に収容されている前記した特定電気部品の定期的な診断および前記した障害検知ステップで障害の検知された特定電気部品に対する診断を行う診断ステップと、（ハ）前記した装置部の前記した複数の収容部に収容された特定電気部品のそれぞれの運用状態の有無、障害状態の有無および診断状態の有無を判別する状態監視ステップと、（ニ）前記した障害検知ステップで障害が検知されたときの前記した装置部における収容部の指定と装置の運用あるいは診断の制御とを前記した状態監視ステップの監視結果に対応付けて設定した設定内容に応じて前記した特定電気部品の障害時の制御を行う障害時制御ステップとを情報処理装置内切替方法が具備する。
【００１１】
更に本発明では、コンピュータに、情報処理装置内切替プログラムとして、（イ）互いに同一回路構成となった特定電気部品を１つずつ収容可能な複数の収容部の指定された１つを選択する構成となった装置部が選択した特定電気部品を回路動作に使用して装置の運用を行うときその運用に障害が発生したことを検知する障害検知処理と、（ロ）前記した装置部に収容されている前記した特定電気部品の定期的な診断および前記した障害検知処理で障害の検知された特定電気部品に対する診断を行う診断処理と、（ハ）前記した装置部の前記した複数の収容部に収容された特定電気部品のそれぞれの運用状態の有無、障害状態の有無および診断状態の有無を判別する状態監視処理と、（ニ）前記した障害検知処理で障害が検知されたときの前記した装置部における収容部の指定と装置の運用あるいは診断の制御とを前記した状態監視処理の監視結果に対応付けて設定した設定内容に応じて前記した特定電気部品の障害時の制御を行う障害時制御処理とを実行させる。
【発明の効果】
【００１２】
以上説明したように本発明によれば、装置部内における運用状態にあった特定電気部品に障害が発生したとき、この装置部内の各特定電気部品の状況に応じて、設定内容を基に特定電気部品の障害時の制御を行うことにした。これにより、障害の原因が分かっているような場合には障害の発生した特定電気部品を強制的に運用させるといった制御が可能になる。また、診断中の特定電気部品の診断を中止して運用させるといった制御も可能になり、状況に応じたフレキシブルな対応が可能になる。
【図面の簡単な説明】
【００１３】
【図１】本発明の情報処理装置のクレーム対応図である。
【図２】本発明の情報処理装置内切替方法のクレーム対応図である。
【図３】本発明の情報処理装置内切替プログラムのクレーム対応図である。
【図４】本実施の形態の二重化システムを採用した通信システムのシステム構成図である。
【図５】本実施の形態で説明する「装置部」の構成と状態を表わした説明図である。
【図６】本実施の形態における第１の交換機の構成を表わしたブロック図である。
【図７】本実施の形態の交換機における「装置部」のハードウェア構成の概要を示した説明図である。
【図８】本実施の形態における第１の基地局制御装置の構成を表わしたブロック図である。
【図９】本実施の形態で装置部に障害が発生した場合の処理の様子を示した流れ図である。
【図１０】本実施の形態における二重化用の診断・運用化優先データの内容の選択肢を表わした説明図である。
【図１１】本実施の形態における一重化用の診断・運用化優先データの内容の選択肢を表わした説明図である。
【図１２】本実施の形態である時点に「０系」のカード装置で障害が発生したとした場合のその前後の装置部の状態を表わした説明図である。
【図１３】本実施の形態で保守端末に通知が行われた場合の表示例を示した平面図である。
【発明を実施するための形態】
【００１４】
図１は、本発明の情報処理装置のクレーム対応図を示したものである。本発明の情報処理装置１０は、装置部１１と、運用手段１２と、障害検知手段１３と、診断手段１４と、状態監視手段１５と、障害時対処設定手段１６と、障害時制御手段１７とを備えている。ここで、装置部１１は、互いに同一回路構成となった特定電気部品をそれぞれ１つずつ収容可能な複数の収容部を備え、これら複数の収容部のうちの指定された１つを選択する構成となっている。運用手段１２は、装置部１１の選択した特定電気部品を回路動作に使用することで装置の運用を行う。障害検知手段１３は、運用手段１２によって運用されている特定電気部品に障害が発生したときこれを検知する。診断手段１４は、装置部１１に収容されている前記した特定電気部品の定期的な診断および障害検知手段１３によって障害の検知された特定電気部品に対する診断を行う。状態監視手段１５は、装置部１１の前記した複数の収容部に収容された特定電気部品のそれぞれの運用状態の有無、障害状態の有無および診断状態の有無を判別する。障害時対処設定手段１６は、運用手段１２によって運用されている特定電気部品に障害が発生したときの装置部１１における収容部の指定と運用手段１２および診断手段１４の制御とを状態監視手段１５の監視結果に対応付けて設定する。障害時制御手段１７は、障害検知手段１３で障害が検知されたとき、障害時対処設定手段１６の設定内容に応じて前記した特定電気部品の障害時の制御を行う。
【００１５】
図２は、本発明の情報処理装置内切替方法のクレーム対応図を示したものである。本発明の情報処理装置内切替方法２０は、障害検知ステップ２１と、診断ステップ２２と、状態監視ステップ２３と、障害時制御ステップ２４とを備えている。ここで、障害検知ステップ２１は、互いに同一回路構成となった特定電気部品を１つずつ収容可能な複数の収容部の指定された１つを選択する構成となった装置部に係わる。障害検知ステップ２１では、この装置部が選択した特定電気部品を回路動作に使用して装置の運用を行うときその運用に障害が発生したことを検知する。診断ステップ２２は、前記した装置部に収容されている前記した特定電気部品の定期的な診断および障害検知ステップ２１で障害の検知された特定電気部品に対する診断を行う。状態監視ステップ２３は、前記した装置部の前記した複数の収容部に収容された特定電気部品のそれぞれの運用状態の有無、障害状態の有無および診断状態の有無を判別する。障害時制御ステップ２４は、障害検知ステップ２１で障害が検知されたときの前記した特定電気部品の障害時の制御を行う。この制御は、前記した装置部における収容部の指定と装置の運用あるいは診断の制御とを状態監視ステップ２３の監視結果に対応付けて設定した設定内容に応じたものとなる。
【００１６】
図３は、本発明の情報処理装置内切替プログラムのクレーム対応図を示したものである。本発明の情報処理装置内切替プログラム３０は、コンピュータに、障害検知処理３１と、診断処理３２と、状態監視処理３３と、障害時制御処理３４とを実行させる。障害検知処理３１では、互いに同一回路構成となった特定電気部品を１つずつ収容可能な複数の収容部の指定された１つを選択する構成となった装置部が選択した特定電気部品を回路動作に使用して装置の運用を行うときその運用に障害が発生したことを検知する。診断処理３２では、前記した装置部に収容されている前記した特定電気部品の定期的な診断および障害検知処理３１で障害の検知された特定電気部品に対する診断を行う。状態監視処理３３では、前記した装置部の前記した複数の収容部に収容された特定電気部品のそれぞれの運用状態の有無、障害状態の有無および診断状態の有無を判別する。障害時制御処理３４では、障害検知処理３１で障害が検知されたときの前記した装置部における収容部の指定と装置の運用あるいは診断の制御とを状態監視処理３３の監視結果に対応付けて設定した設定内容に応じて前記した特定電気部品の障害時の制御を行う。
【００１７】
＜発明の第１の実施の形態＞
【００１８】
次に本発明の第１の実施の形態を説明する。
【００１９】
図４は、本実施の形態の二重化システムを採用した通信システムの構成を表わしたものである。この通信システム１００は、交換機能を有する第１の交換機１０１1と、この第１の交換機１０１1と同一の構成となった第２の交換機１０１2を備えている。
【００２０】
第１の交換機１０１1は第１および第２の基地局制御装置１０２1、１０２2を接続している。第２の交換機１０１2は、第１および第２の基地局制御装置１０２1、１０２2と同一構成の第３の基地局制御装置１０２3を接続している。第１の基地局制御装置１０２1は、第１および第２の基地局１０３1、１０３2を接続している。第３の基地局制御装置１０２3は、第１および第２の基地局１０３1、１０３2と同一構成の第３の基地局１０３3を接続している。第１の基地局１０３1は、第１の端末１０４1と無線で接続している。第３の基地局１０３3は、第３の端末１０４3と無線で接続している。
【００２１】
本実施の形態の通信システム１００は、交換機１０１、基地局制御装置１０２の保守を行うための保守端末１０５を備えている。保守端末１０５は、１台示しているが、１台である必要はない。また、保守端末１０５は、交換機１０１および基地局制御装置１０２と有線で接続されてもよいし、この図で示すように無線で接続されてもよい。第１および第３の端末１０４1、１０４3は、携帯端末のような無線端末であってもよいし、有線による通信端末であってもよい。
【００２２】
図５は、本実施の形態で説明する「装置部」の構成と状態を表わしたものである。図４と共に説明する。
【００２３】
本明細書で「装置部」とは、図４に示した交換機１０１1、１０１2および基地局制御装置１０２1〜１０２3における二重化あるいは一重化されたカード装置を意味する。たとえば第１の交換機１０１1が同一機能の２台のカード装置を備えており、二重化構成となっているものとする。この場合の一方のカード装置を「０系」とし、他方のカード装置を「１系」とする。
【００２４】
この例の場合、図５（Ａ）で示すように「０系」が運用系であるとすると、「１系」は予備系となる。「運用」と「予備」がどのような定義であるかは、「障害」および「診断」の定義と共に、同図（Ｅ）に示した。すなわち、「装置部」が「運用」の状態とは、第１の交換機１０１1等の「装置部」が正常に動作し運用を行っている状態である。これは、二重化構成の現用系に該当する。次に「装置部」が「予備」状態とは、運用系が故障するまで待機状態を保った状態をいう。「予備」状態は、二重化構成の予備系に該当する。次に「装置部」が「障害」状態とは、第１の交換機１０１1等の「装置部」が動作できない障害を発生させた状態をいう。最後に「装置部」が「診断」状態とは、診断中を示す状態をいう。第１の交換機１０１1等の「装置部」が「診断」状態のとき、診断制御を行うため、その他の処理は行わない。
【００２５】
同図（Ｂ）はこのような二重化構成で診断が行われる状態を示している。「診断」では診断以外の処理が行われない。したがって、「装置部」のカード装置としての「１系」が「診断」中であれば、他のカード装置としての「０系」が運用中ということになる。
【００２６】
同図（Ｃ）および（Ｄ）は「装置部」が一重化されている場合を示している。たとえば同図（Ｃ）に示すように、２つのカード装置が第１の交換機１０１1に備えられていたとして、このうちのたとえば「１系」が「障害」中であったとする。この場合には一重化構成ということになり、「０系」が運用中となる。同図（Ｄ）は、同図（Ｃ）で示したように「１系」が「障害」中であるとき「０系」が「診断」を行っている状態を示している。この場合には、「診断」が終了するか、これを中止した時点で「０系」が運用を行うことができる。
【００２７】
図６は、本実施の形態における第１の交換機の構成を表わしたものである。図４と共に説明する。第２の交換機１０１2は第１の交換機１０１1とその構成が同一なので、図示および説明を省略する。
【００２８】
第１の交換機１０１1は、ＣＰＵ（Central Processing Unit）１２１とメモリ１２２を備えた装置管理制御部１２３を有している。メモリ１２２は、ＣＰＵ１２１の制御のためのプログラムを格納した磁気ディスク、ＲＯＭ（Read Only Memory）等の記憶媒体である。装置管理制御部１２３は、データバス等のバス１２４を介して第１の交換機１０１1内の各部と接続されている。このうち、送受信部１２５は、保守端末１０５を含めた他の装置と信号の送受信を行う。装置部１２６は、交換機としての各種の機能を有する同一のカード装置が２台ずつ備えられた構成となっている。カード装置は、図５で説明したように、装置状態によって、二重化あるいは一重化されている。
【００２９】
局データ部１２７は、交換機として機能するための各種のデータを保持している。これらのデータは、装置構成データ１２８、一重化用の診断・運用化優先データ１２９および二重化用の診断・運用化優先データ１３０からなる。装置状態データ部１３１は、装置部１２６の装置状態の管理を行う。
【００３０】
装置管理制御部１２３は、装置部１２６の障害を検出すると装置状態データ部１３１に状態の問い合わせを行う。この結果、装置部１２６の構成が二重化装置としての構成であり、非運用系が診断中の場合、装置管理制御部１２３は局データ部１２７の二重化用の診断・運用化優先データ１３０をチェックする。そして、「運用化優先」であるか、「診断優先」であるかの設定内容の確認を行う。この結果、「運用化優先」に設定されている場合、装置管理制御部１２３は非運用系のカード装置に対して、診断中止指示を行い、強制運用化指示を行う。すなわち、従来では非運用系が診断中の場合、この診断が終了するまで非運用系のカード装置が運用系のカード装置として運用化することはなかったが、本実施の形態では診断中止指示と強制運用化指示が行われる。
【００３１】
一方、装置部１２６の構成が一重化装置としての構成であった場合、装置管理制御部１２３は局データ部１２７の一重化用の診断・運用化優先データ１２９をチェックする。そして、「運用化優先」と設定されている場合、装置管理制御部１２３は障害の検出されたカード装置に対して、障害に対処する診断指示を実施せず、強制運用化指示を行う。
【００３２】
装置管理制御部１２３は、以上のように診断中止指示や運用化指示を行った場合、該当するカード装置名と、診断中止あるいは強制運用化を実施した旨を運用管理部１３２に通知する。運用管理部１３２は、この通知を受けると、この情報を図４に示した保守端末１０５に通知するようになっている。
【００３３】
図７は、交換機における「装置部」のハードウェア構成の概要を示したものである。装置部１２６には、カードスロットに代表される第１〜第ｎの収容部１３４1〜１３４nが配置されており、これらにはそれぞれ交換機の主要部品を構成し互いに同一回路構成となった第１〜第ｎのカード装置１３５1〜１３５nが装着可能となっている。カード装置選択部１３６は、第１〜第ｎの収容部１３４1〜１３４nのうちの１つを選択し、対応するカード装置１３５が運用の対象となる。
【００３４】
本実施の形態では、値「ｎ」が「２」となっており、第１の収容部１３４1に第１のカード装置１３５1が装着され、第２の収容部１３４2に第２のカード装置１３５2が装着される。第１のカード装置１３５1が「０」系で、第２のカード装置１３５2が「１」系であるとする。第２のカード装置１３５2が未実装であったり、障害状態であると、実質的には第１のカード装置１３５1が機能するのみであり、図５で説明した一重化構成となる。
【００３５】
図８は、第１の基地局制御装置の構成を表わしたものである。図４と共に説明する。第２の基地局制御装置１０２2および第３の基地局制御装置１０２3は第１の基地局制御装置１０２1とその構成が同一なので、図示および説明を省略する。
【００３６】
第１の基地局制御装置１０２1は、ＣＰＵ１４１と、このＣＰＵ１４１の制御のためのプログラムを格納した磁気ディスク、ＲＯＭ等のメモリ１４２を備えた装置管理制御部１４３を有している。装置管理制御部１４３は、データバス等のバス１４４を介して第１の基地局制御装置１０２1内の各部と接続されている。このうち、送受信部１４５は、保守端末１０５を含めた他の装置と信号の送受信を行う。装置部１４６は、基地局制御装置としての各種の機能を有する同一のカード装置が２台ずつ備えられた構成となっている。カード装置は、図５で説明したように、装置状態によって、二重化あるいは一重化されている。
【００３７】
局データ部１４７は、基地局制御装置として機能するための各種のデータを保持している。これらのデータは、装置構成データ１４８、一重化用の診断・運用化優先データ１４９および二重化用の診断・運用化優先データ１５０からなる。装置状態データ部１３１は、装置部１４６の装置状態の管理を行う。
【００３８】
装置管理制御部１４３は、装置部１４６の障害を検出すると装置状態データ部１５１に状態の問い合わせを行う。この結果、装置部１４６の構成が二重化装置としての構成であり、非運用系が診断中の場合、装置管理制御部１４３は局データ部１４７の二重化用の診断・運用化優先データ１５０をチェックする。そして、「運用化優先」であるか、「診断優先」であるかの設定内容の確認を行う。この結果、「運用化優先」に設定されている場合、装置管理制御部１４３は非運用系のカード装置に対して、診断中止指示を行い、強制運用化指示を行う。すなわち、従来では非運用系が診断中の場合、この診断が終了するまで非非運用系のカード装置が運用系のカード装置として運用化することはなかったが、本実施の形態では診断中止指示と強制運用化指示が行われる。
【００３９】
一方、装置部１４６の構成が一重化装置としての構成であった場合、装置管理制御部１４３は局データ部１４７の一重化用の診断・運用化優先データ１４９をチェックする。そして、「運用化優先」と設定されている場合、装置管理制御部１４３は障害の検出されたカード装置に対して、障害に対処する診断指示を実施せず、強制運用化指示を行う。
【００４０】
装置管理制御部１４３は、以上のように診断中止指示や運用化指示を行った場合、該当するカード装置名と、診断中止あるいは強制運用化を実施した旨を運用管理部１５２に通知する。運用管理部１５２は、この通知を受けると、この情報を図４に示した保守端末１０５に通知するようになっている。
【００４１】
なお、第１の基地局制御装置１０２1の装置部１４６の構成は図７に示したものと実質的に同一である。そこで、装置部１４６の具体的な構成の図示および説明は省略する。
【００４２】
図９は、装置部に障害が発生した場合の処理の様子を示したものである。ここでは、一例として図６に示した第１の交換機１０１1の装置部１２６について説明する。図６と共に説明する。
【００４３】
第１の交換機１０１1の装置管理制御部１２３は、装置部１２６の障害の発生を監視している（ステップＳ２０１）。装置管理制御部１２３が障害の発生を検出すると（Ｙ）、装置管理制御部１２３は、装置状態データ部１３１から装置部１２６の状態を取得する（ステップＳ２０２）。この結果、装置部１２６の構成が二重化されていて、かつ非運用系が診断中であるという状態であったとする（ステップＳ２０３：Ｙ）。この場合、装置管理制御部１２３は局データ部１２７から二重化用の診断・運用化優先データ１３０の読み込みを行う（ステップＳ２０４）。このときの装置部１２６の構成は、図５（Ｂ）の状態である。
【００４４】
図１０は、二重化用の診断・運用化優先データの内容の選択肢を表わしたものである。「０系」のカード装置および「１系」のカード装置は、図４に示した保守端末１０５によって、運用化優先と診断優先の２つのデータのうちのいずれか１つに設定されている。たとえば「０系」のカード装置が運用化優先に設定されていれば、「１系」のカード装置も同様に運用化優先に設定されている。
【００４５】
図９に戻って説明する。「０系」のカード装置が運用系であり、「１系」のカード装置が診断中であるこの状況で、「０系」および「１系」のカード装置が運用化優先に設定されていたとする。この場合（ステップＳ２０５：Ｙ）、装置管理制御部１２３は、「１系」のカード装置の診断中止指示と、これに基づく「１系」のカード装置の強制運用化指示を行う（ステップＳ２０６）。そして、この「１系」のカード装置のカード装置名と、診断中止あるいは強制運用化を実施した旨を運用管理部１３２に通知する。運用管理部１３２は、この通知を受けると、通知されたこれらの情報を図４に示した保守端末１０５に通知して（ステップＳ２０７）、処理を終了する（エンド）。
【００４６】
ステップＳ２０５で「０系」および「１系」のカード装置が診断優先に設定されていた場合には（Ｎ）、特別の処理が行われることなく処理が終了する（エンド）。すなわち、この場合には通常通り「１系」のカード装置の診断がそのまま行われ、その診断が終了した時点で「１系」のカード装置が運用系に切り替わる。
【００４７】
一方、ステップＳ２０３で装置部１２６の構成が二重化されており、かつ非運用系が診断中ではなく待機中であったものとする（Ｎ）。この場合には、装置部１２６の構成が一重化ではないので（ステップＳ２０８：Ｎ）、特別の処理が行われることなく処理が終了する（エンド）。すなわち、この場合には通常通り非運用系の「１系」のカード装置が、障害を発生した「０系」のカード装置の代わりとして運用系に切り替わることになる。
【００４８】
以上と異なり、装置部１２６の障害が発生したときに装置状態データ部１３１から装置部１２６の状態を取得した結果（ステップＳ２０２）、その構成が一重化した状態であったとする（ステップＳ２０３：Ｎ、ステップＳ２０８：Ｙ）。この場合、装置管理制御部１２３は局データ部１２７から一重化用の診断・運用化優先データ１２９の読み込みを行う（ステップＳ２０９）。
【００４９】
図１１は、一重化用の診断・運用化優先データの内容の選択肢を表わしたものである。「０系」のカード装置および「１系」のカード装置は、図４に示した保守端末１０５によって、運用化優先と診断優先の２つのデータのうちのいずれか１つに設定されている。たとえば「０系」のカード装置が運用化優先に設定されていれば、「１系」のカード装置も同様に運用化優先に設定されている。ただし、現時点で「１系」のカード装置は障害によって動作できないか、第１の交換機１０１1に未実装となっており、このため一重化の状態となっている。
【００５０】
図９に戻って説明を続ける。一重化用の診断・運用化優先データ１２９の読み込みを行った結果、障害を発生させた「０系」のカード装置が運用化優先に設定されていたとする（ステップＳ２１０：Ｙ）。この場合、装置管理制御部１２３は「１系」のカード装置の強制運用化指示を行う（ステップＳ２１１）。そして、この「１系」のカード装置のカード装置名と強制運用化を実施した旨を運用管理部１３２に通知する。運用管理部１３２は、この通知を受けると、通知されたこれらの情報を図４に示した保守端末１０５に通知して（ステップＳ２１２）、処理を終了する（エンド）。この場合、「０系」のカード装置はその障害が検知されたものの、当面の運用には障害がない範囲の障害であるとして強制運用化が続行されることになる。
【００５１】
これに対して「０系」のカード装置が診断優先に設定されていた場合には（ステップＳ２１０：Ｎ）、このままで処理が終了する（エンド）。この場合、「０系」のカード装置に対して診断が実行されることになる。
【００５２】
図１２は、ある時点に「０系」のカード装置で障害が発生したとした場合のその前後の装置部の状態を表わしたものである。このうち、同図（Ａ）では、時刻ｔ1の時点で、「０系」のカード装置は障害が発生する前の状態となってる。このとき「０系」のカード装置は運用状態であり、「１系」のカード装置は診断状態となっており、図６に示した装置部１２６が二重化されている。時刻ｔ2に障害が発生した時点で、「１系」のカード装置はまだ診断状態である。この例の場合、図９のステップＳ２０３の条件を満たすので（Ｙ）、ステップＳ２０５で「１系」のカード装置が運用化優先に設定されていたとすると強制運用化が実行される。この結果、その後の時刻ｔ3の状態では「１系」のカード装置が運用状態となる。このとき、「０系」のカード装置は障害状態のままである。
【００５３】
図１２（Ｂ）では、時刻ｔ1で「０系」のカード装置が診断状態で、「１系」のカード装置は障害状態であり、図６に示した装置部１２６が一重化されている。この場合に時刻ｔ2に「０系」のカード装置に障害が発生する。「０系」のカード装置が運用化優先に設定されていたとすると（図９ステップＳ２１０：Ｙ）、強制運用化が実行される。この結果、その後の時刻ｔ3の状態では「０系」のカード装置が強制運用化によって運用状態となる。このとき、「１系」のカード装置は障害状態のままである。
【００５４】
図１３は、保守端末に通知が行われた場合の表示例を示したものである。図４に示した保守端末１０５には、図９ステップＳ２０７あるいはステップＳ２１２による通知が行われる。これによって、保守端末１０５の所持者は、図４に示した第１の交換機１０１1等の「装置部」の状況を把握することができる。そして、必要に応じて、たとえば、第１の交換機１０１1の装置部１２６を構成するカード装置の設定を変更する。たとえば、装置部１２６を構成する「０系」のカード装置の現在の障害の程度が強制運用化に耐えるものであるかを診断結果から判別する。そして、一重化用の診断・運用化優先データ１２９や二重化用の診断・運用化優先データ１３０の変更を必要に応じて行うことになる。
【００５５】
以上説明した実施の形態では、第１の交換機１０１1を中心に説明を行ったが、これに限るものではない。第２の交換機１０１2および第１〜第３の基地局制御装置１０２1〜１０２3の装置部１２６、１４６に収容された複数のカード装置に対しても、同様に本発明を適用することができる。
【００５６】
このように本実施の形態では、装置部１２６、１４６が二重化あるいは一重化された状態であるか、あるいは個々のカード装置の特性に応じて、局データ部１２７、１４７のデータ設定を変更することができる。また、運用状態のカード装置に障害が発生したとき、非運用装置の診断を中止して強制運用化を行うことができるので、サービスが停止する時間を最小限とすることができる。
【００５７】
なお、実施の形態では診断中のカード装置の診断中止や強制運用化については、本実施の形態で説明した以外の各種の条件を追加することも可能である。たとえば、交換機の扱うデータの種類が映像配信のようなリアルタイム性の高いものである場合に、診断中止による強制運用化を限定するようにしてもよい。
【００５８】
また、以上説明した条件では交換機１０１や基地局制御装置１０２を例に挙げて本発明を説明したが、発明の適用対象はこれらに限定されるものではない。たとえば交換機１０１や基地局制御装置１０２以外の情報処理装置であっても、その内部に同一回路機能の複数の装置を配置した冗長構成の装置部を備えている場合には、同様に本発明を適用することができる。
【符号の説明】
【００５９】
１０  情報処理装置
１１  装置部
１２  運用手段
１３  障害検知手段
１４  診断手段
１５  状態監視手段
１６  障害時対処設定手段
１７  障害時制御手段
２０  情報処理装置内切替方法
２１  障害検知ステップ
２２  診断ステップ
２３  状態監視ステップ
２４  障害時制御ステップ
３０  情報処理装置内切替プログラム
３１  障害検知処理
３２  診断処理
３３  状態監視処理
３４  障害時制御処理
１００  通信システム
１０１  交換機
１０２  基地局制御装置
１０５  保守端末
１２１、１４１  ＣＰＵ
１２２、１４２  メモリ
１２３、１４３  装置管理制御部
１２６、１４６  装置部
１２７、１４７  局データ部
１２８、１４８  装置構成データ
１２９、１４９  一重化用の診断・運用化優先データ
１３０、１５０  二重化用の診断・運用化優先データ
１３１、１５１  装置状態データ部
１３２、１５２  運用管理部
１３４  収容部
１３５  カード装置
１３６  カード装置選択部
【図１】
2010193177.tif 000003
【図２】
2010193177.tif 000004
【図３】
2010193177.tif 000005
【図４】
2010193177.tif 000006
【図５】
2010193177.tif 000007
【図６】
2010193177.tif 000008
【図７】
2010193177.tif 000009
【図８】
2010193177.tif 000010
【図９】
2010193177.tif 000011
【図１０】
2010193177.tif 000012
【図１１】
2010193177.tif 000013
【図１２】
2010193177.tif 000014
【図１３】
2010193177.tif 000015